(57)【要約】      （修正有）【課題】作業者によらず、また、作業を増やさずに容易に冷媒配管の接続先を識別することができる空気調和機を提供する。【解決手段】室外機と、室内機とを備え、室外機は、冷媒配管が接続されるバルブが複数並んで固定されたバルブベッド４を備え、バルブベッド４には、複数のバルブを識別するための画が表示された識別表示が付されているものである。【選択図】図２
2015004464.tif 000002
【特許請求の範囲】
【請求項１】
室外機と、室内機とを備え、
前記室外機は、
冷媒配管が接続されるバルブが複数並んで固定されたバルブベッドを備え、
前記バルブベッドには、複数の前記バルブを識別するための画が表示された識別表示が付されている
ことを特徴とする空気調和機。
【請求項２】
識別表示には、識別対象の用途を表した画が表示されている
ことを特徴とする請求項１に記載の空気調和機。
【請求項３】
配線を接続する端子台が複数並んで固定された端子台接続板金部品を備え、
端子台接続板金部品には、複数の前記端子台を識別するための画が表示された識別表示が付されている
ことを特徴とする請求項１または２に記載の空気調和機。
【請求項４】
給湯用室内機を備えた
ことを特徴とする請求項１〜３のいずれか一項に記載の空気調和機。
【発明の詳細な説明】
【技術分野】
【０００１】
本発明は、同じ形状のバルブを複数有する空気調和機に関するものである。
【背景技術】
【０００２】
同じ形状のバルブが室外機に複数並べられている従来の空気調和機において、それらバルブに接続する冷媒配管の接続先の識別方法として、接続先のバルブに文字を表示したり、接続する配管と同色の塗料をバルブに付したりするものがある（例えば特許文献１参照）。
【先行技術文献】
【特許文献】
【０００３】
【特許文献１】特開２００８−２０９０８３号公報
【発明の概要】
【発明が解決しようとする課題】
【０００４】
特許文献１に記載の空気調和機において、冷媒配管の接続先のバルブを文字や色により識別していたが、文字による識別の場合では使用言語が異なる作業者によっては識別が困難となり、誤接続してしまうという課題があった。また、色による識別の場合では、室内機側のバルブの色も確認しなくてはならないため、作業が増えるという課題があった。
【０００５】
本発明は、以上のような課題を解決するためになされたもので、作業者によらず、また、作業を増やさずに容易に冷媒配管の接続先を識別することができる空気調和機を提供することを目的としている。
【課題を解決するための手段】
【０００６】
本発明に係る空気調和機は、室外機と、室内機とを備え、前記室外機は、冷媒配管が接続されるバルブが複数並んで固定されたバルブベッドを備え、前記バルブベッドには、複数の前記バルブを識別するための画が表示された識別表示が付されているものである。
【発明の効果】
【０００７】
本発明に係る空気調和機によれば、冷媒配管の接続先のバルブの識別を画により行うため、作業者によらず、また、作業を増やさずに容易に冷媒配管の接続先を識別することができ、誤接続を抑制できる。
【図面の簡単な説明】
【０００８】
【図１】本発明の実施の形態に係る空気調和機の冷媒回路図である。
【図２】本発明の実施の形態に係る空気調和機の室外機のバルブベッドの詳細図である。
【図３】図２に示すバルブベッドに付されている識別表示の拡大図である。
【図４】図３に示す識別表示が付された端子台接続板金部品の詳細図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
実施の形態．
図１は、本発明の実施の形態に係る空気調和機の冷媒回路図である。
本発明の実施の形態に係る空気調和機の冷凍サイクルは、室外機１と、給湯用室内機２と、空気調和用室内機３と、を備えている。そして、給湯用室内機２及び空気調和用室内機３は、室外機１に対して直列となるように接続され、給湯用室内機２及び空気調和用室内機３は互いに並列となるように接続されている。
【００１０】
室外機１は、圧縮機１ｃと、四方弁１ｂと、膨張弁１ｇと、室外熱交換器１ａと、逆止弁１ｆと、アキュムレータ１ｅと、気液分離器１ｄとが直列に接続されて搭載されている。
この室外機１は、給湯用室内機２及び空気調和用室内機３に熱源（冷熱または温熱）を供給する機能を有している。なお、室外熱交換器１ａの近傍に、この室外熱交換器１ａに空気を供給するためのファン等の送風機を設けるとよい。また、この室外機１には、同じ形状のバルブが複数並べられている。
【００１１】
給湯用室内機２は、給湯熱交換器２ａが搭載されている。
給湯用室内機２は、冷凍サイクルの構成の一部と、図示省略の給湯負荷回路の構成の一部とが収容され、室外機１からの冷熱または温熱を、給湯熱交換器２ａを介して給湯負荷回路に供給する機能を有している。冷凍サイクルと給湯負荷回路とは、給湯熱交換器２ａでカスケード接続されている。なお、給湯用室内機２は、冷媒の流れによって冷水器としても機能する。
【００１２】
空気調和用室内機３は、室内熱交換器３ａが搭載されている。
空気調和用室内機３は、室外機１からの冷熱の供給を受けて冷房負荷を担当したり、室外機１からの温熱の供給を受けて暖房負荷を担当したりする機能を有している。なお、室内熱交換器３ａの近傍に、この室内熱交換器３ａに空気を供給するためのファン等の送風機を設けるとよい。
【００１３】
図２は、本発明の実施の形態に係る空気調和機の室外機１のバルブベッド４の詳細図、図３は、図２に示すバルブベッド４に付されている識別表示の拡大図である。
図２に示すように、冷媒配管を接続するバルブが複数並んで固定されたバルブベッド４には、給湯用液バルブ５ａ、給湯用ガスバルブ５ｂ、空気調和用液バルブ６ａ、及び空気調和用ガスバルブ６ｂが固定されている。なお、給湯用液バルブ５ａと空気調和用液バルブ６ａ、給湯用ガスバルブ５ｂと空気調和用ガスバルブ６ｂは、それぞれ同じ形状のバルブである。
【００１４】
そして、バルブベッド４のそれらバルブ近傍には識別表示が付されており、給湯用液バルブ５ａ及び給湯用ガスバルブ５ｂの近傍には給湯用であることを示す給湯表示７が、空気調和用液バルブ６ａ及び空気調和用ガスバルブ６ｂの近傍には空気調和用であることを示す空気調和表示８が付されている。
【００１５】
図３に示すように、給湯表示７には蛇口の画が、空気調和表示８にはエアコンの画が表示されている。ただし、これらの画に限定されることはなく、どの作業者が見ても何用のバルブであるかを識別するのが容易な画であればよい。
【００１６】
このように、各バルブの近傍に識別対象の用途を表した画が表示された識別表示を付すことによって、同じ形状または似た形状のバルブが複数並べられていても、冷媒配管の接続先のバルブの識別を画により行うことができるため、作業者によらず、また、作業を増やさずに容易に冷媒配管の接続先を識別することができ、誤接続を抑制できる。
【００１７】
図４は、図３に示す識別表示が付された端子台接続板金部品１１の詳細図である。
図４に示すように、現地の電源などの配線を接続する端子台が複数並んで固定された端子台接続板金部品１１には、給湯用端子台９と空気調和用端子台１０が固定されており、給湯用端子台９の近傍には給湯用であることを示す給湯表示７が、空気調和用端子台１０の近傍には空気調和用であることを示す空気調和表示８が付されている。
【００１８】
このように、バルブと同様に各端子台の近傍に識別対象の用途を表した画が表示された識別表示を付すことによって、同じ形状または似た形状の端子台が複数並べられていても、配線の接続先の端子台の識別を画により行うことができるため、作業者によらず、また、作業を増やさずに容易に端子台の接続先を識別することができ、誤接続を抑制できる。
【００１９】
なお、上述の各識別表示を空気調和機の据付に関する説明が記載された説明書にも載せ、各識別表示についての説明を記載すると、より分かりやすくなる。
また、本実施の形態では画が表示された識別表示をバルブまたは端子台の識別用として付したが、他の識別用として付してもよい。
【符号の説明】
【００２０】
１  室外機、１ａ  室外熱交換器、１ｂ  四方弁、１ｃ  圧縮機、１ｄ  気液分離器、１ｅ  アキュムレータ、１ｆ  逆止弁、１ｇ  膨張弁、２  給湯用室内機、２ａ  給湯熱交換器、３  空気調和用室内機、３ａ  室内熱交換器、４  バルブベッド、５ａ  給湯用液バルブ、５ｂ  給湯用ガスバルブ、６ａ  空気調和用液バルブ、６ｂ  空気調和用ガスバルブ、７  給湯表示、８  空気調和表示、９  給湯用端子台、１０  空気調和用端子台、１１  端子台接続板金部品。
【図１】
2015004464.tif 000003
【図２】
2015004464.tif 000004
【図３】
2015004464.tif 000005
【図４】
2015004464.tif 000006